(57)【特許請求の範囲】
【請求項１】
屋根の雪下ろし作業に使用する器具であり、雪を掬い込むスノーバケットの底部にスキー板３を配し、スノーバケットの雪を掬い込む部分を、雪面に対し２０度〜３０度の角度の傾斜角度１を有するように配し、スノーバケットの後部を円周状形状２とし、スノーバケットは、円周部中央の位置に羽根つき回転体７を有し、回転体は手動で回せるようにし回転体により誘導された雪塊はスノーバケットの中央先端部に配した受け板８上に落ち、上記受け板下に設置したロール状に巻き取られた樹脂状シート９を引出し上記受け板９上を介して屋根下まで敷設し、受け板上に落ちた雪塊は上記樹脂製シート上を屋根下に落ちるように構成され、上記樹脂製シートは雪下ろし作業終了時には、再びロール状に戻し収納することを特徴とする屋根の雪下ろし作業に使用する器具。
【請求項２】
雪下ろし作業に於いて、両手の握り部分１０が縦及び横の何れも選択でき、その際同時にお腹の位置に支え板１１を配し腰バンド６にて固定し、体全体での雪下ろし作業を効率的に行うことを特徴とする請求項１記載の器具。
【請求項３】
電池式ブザー１３とスイッチ１２が取り付けてあることを特徴を有する請求項１又は２記載の器具。
【発明の詳細な説明】
【技術分野】
【０００１】  本発明は屋根に積もった雪を屋根から下ろすための器具である。以後この器具をスノーバケットと称する。
【背景技術】
【０００２】  毎年冬期中に於いて、屋根に積もった雪の処理には各家庭及び各自治体は、多大な精神的、経済的及び労力的負担を強いられる。地域の過疎化、住民の高齢化に加え地球環境の変化により雪の処理は深刻な問題である。そこでより有効な雪下ろし器具が必要とされる。
【先行技術文献】
【０００３】
【特許文献１】  特開２００５−２７３４２５
【特許文献２】  意匠登録第１２９５９０９号
【発明の概要】
【発明が解決しようとする課題】
【０００４】    毎年冬期中に於いて、屋根に積もった雪の処理には各家庭及び各自治体は、多大な精神的、経済的及び労力的負担を強いられる。地域の過疎化、住民の高齢化に加え地球環境の変化により雪の処理は深刻な問題である。そこでより有効な雪下ろし器具が必要とされる。屋根の雪下ろし作業には命の危険も伴う。そこで屋根の上でのより少ない動きで、より効果的、効率的より安全な雪下ろし器具が必要とされる。
【課題を解決するための手段】
【０００５】    一般的に雪下ろし作業は所謂スノーダンプで屋根の雪に四方きざみを入れて雪を掬い取る作業、そしてその雪を屋根下に放りなげる作業の繰り返しである。何れも重労働である。出来るだけ軽い器具を使用する。出来るだけ余計な動きをしなくてよい効果的な器具を使用する必要がある。本発明に於いて当器具を以後スノーバケットと称する。当スノーバケットは底部にスキー板３を配する。雪を掬い込む部分１は、雪面に対し２０度〜３０度の傾斜角度を有する。スノーバケットは円周状内壁２を有しその中央部に羽付回転体７が組み込まれている。スノーバケット入口中央部の位置に雪受け板８を配してある。平時、樹脂製シート９をロール状に雪受け板８の下部に収納して置いた当樹脂製シート９を雪下ろし作業の際には雪受け板８を介し図２の１４の様に屋根下まで敷設する。スノーバケットの操作、移動方行は屋根の下に向けて押し込むだけである。スノーバケット１の部分で掬いこまれた雪は、押し込まれて羽根つき回転体７の回転に誘導され円周状内壁に沿って移動する。雪塊は雪受け板８上の樹脂製シート１４の上に移動し屋根の傾斜により屋根の下に滑り落ちる。樹脂製シートは雪下ろし作業終了時に再びロール状に収納する。当スノーバケットは雪の掬いこみと、屋根下への雪落としを同時に効果的に行うことを特徴とする。
【発明の効果】
【０００６】  従来所謂スノーダンプでの雪下ろしは初めに屋根の雪に前後左右四方に刻みを入れて、この雪塊をスノーダンプで掬い取り、屋根下まで放り落とす動作で非常に重労働である。本発明のスノーバケットを用いた場合は、手の握り部分１０は縦及び横各れも使用でき、お腹の位置に支え棒１１を腰ベルト６で固定し両腕の力と合わせて体全体で雪下ろし作業ができる。当スノーバケットを屋根下方向に体全体で押すだけで、スノーバケット１の雪の掬いこみと羽根つき回転体７の誘導によりスノーバケット２の円周状内壁内を移動した雪は、雪受け板８の樹脂製シート１４の上を屋根の傾斜により屋根下に滑落させることが出来、従来より効果的に屋根の雪下ろしが可能である。
【図面の簡単な説明】
【０００７】
【図１】  本発明の実施例を示す全体説明図
【図２】  本発明の使用状態を示す透視参考図
【図３】  本発明の背面図
【図４】  本発明の側面図
【図５】  本発明の平面図
【図６】  本発明の底面図
【図７】  本発明の使用状況を示す参考図
【発明を実施するための形態】
【０００８】  本発明の実施に当たり屋根の雪下ろしに必要な要件を３つ提案する。
１  出来るだけ軽くて効果的構造の器具をつかう。
２  不必要な重労働をせず効率的な雪下ろし作業をする。
３  雪下ろし作業の際の危険を速やかに知らせる。
１について提案する。本発明の材質は、重い鉄製ではなく軽量の耐寒性、耐紫外線性、及び強靭性を有する樹脂製材を使用する。スノーバケットの構造は雪を掬いこむ様、２０度〜３０度の傾斜角度１を有し、羽根つき回転体７の回転誘導で円周状内壁２内を移動した雪塊は、雪受け板を介して屋根下まで敷き設した樹脂製シート１４上を屋根下まで滑落する。
【０００９】  ２について提案する。本発明のスノーバケットの底部には、スキー板３を組み込まれている。スノーバケットの握り部分１０は、縦、横何れにも対応できる。お腹の位置に支え棒１１に当たるようベルト６で固定する。屋根の雪の掬い取り、及び掬い取った雪を屋根下への放り投げが不要である。体全体をつかっての屋根下方向への移動のみにより雪下ろしがより効率的に行うことが出来る効果がある。
【００１０】  ３について提案する。住人の高齢化及び１人での屋根の雪下ろしは常に屋根からの落下の危険を伴う。安全ベルトの使用が最も重要である。万が一屋根から落ちた場合に、周囲に知らせるブザー１３とスイッチ１２を取り付けてある。
【産業上利用可能性】
【００１１】毎年冬季中屋根の雪下ろしには、各家庭及び各自治体にとり精神的、経済的及び労働的に大きな負担を強いられている。雪処理での死者は毎年１００人を超える。若いボランティアでも体力だけでは難しいコツが必要である。本発明のスノーバケットを使用しての屋根の雪下ろしを行うことには重分な利用効果を有する。
【符号の説明】
【００１２】１      雪すくいこみ部
２      スノーバケット円周状内壁部
３      スキー板
４      スノーバケット補強用突起部
５      羽根つき回転体の回転軸部
６      腰部ベルト
７      羽根つき回転体の羽部
８      雪受け板
９      樹脂製シート巻き取り軸部
１０    スノーバケットの手握り部
１１    スノーバケットのお腹当て部
１２    危険を知らせるブザーのスイッチ
１３    危険を知らせるブザー
１４    樹脂製シート
【要約】      （修正有）【課題】冬期中、繰り返し降り積もった雪の屋根の雪下ろしにおいて、精神的、経済的負担が無く、生命の危険の無い、屋根上でより少ない動きで、より効果的、効率的、より安全な雪下ろし器具の提供。【解決手段】スノーバケットの下部位置にスキー板３を配し、スノーバケットは雪面に対し２０度〜３０度の雪をすくう傾斜角度を有する。スノーバケットを屋根下前方に推し進めることで雪がスノーバケットにすくい込まれ円周状内壁２に沿って移動する。前記スノーバケットの円周部内に取り付けた羽根つき回転体７に誘導された雪塊はスノーバケット入口中央に配した雪受け板８上に落ちる。樹脂製シート１４をロール状に巻き取り設置して置いたこのシート１４を巻き解き雪受板を介して屋根下まで敷き伸ばす。羽根つき回転体７に誘導された雪塊は樹脂製シート１４の上を滑落し屋根下に落下する。【選択図】図２【図１】
0005532465.tif 000002
【図２】
0005532465.tif 000003
【図３】
0005532465.tif 000004
【図４】
0005532465.tif 000005
【図５】
0005532465.tif 000006
【図６】
0005532465.tif 000007
【図７】
0005532465.tif 000008